(57)【要約】【課題】  複数の同種又は異種の原稿データに編集を施す場合でも、原稿を汚さずに、手軽な書き込みを可能とする。【解決手段】  書き込みが可能なタッチ・スクリーンの機能を持つタッチ・スクリーン・コンタクト・ガラス５への書込入力により書き込みを表示させ且つ表示内容を書込データとして入力する書込データ入力部３と、タッチ・スクリーン・コンタクト・ガラス５上の表示を消去した状態で原稿を読み込み原稿データとして入力する原稿データ入力部７と、原稿データに書込データを合成する画像処理部１７と、画像処理部１７のデータを出力する出力装置１３とを備えたことを特徴とする。【選択図】  図１
2007081909.tif 000002
【特許請求の範囲】
【請求項１】
書き込みが可能なタッチ・スクリーンの機能を持つコンタクト・ガラスへの書込入力により書き込みを表示させ且つ表示内容を書込データとして入力する書込データ入力部と、
前記コンタクト・ガラス上の前記表示を消去した状態で原稿を読み込み原稿データとして入力する原稿データ入力部と、
前記原稿データに前記書込データを合成する画像処理部と、
前記画像処理部のデータを出力する出力部と
を備えたことを特徴とする画像形成装置。
【請求項２】
請求項１記載の画像形成装置であって、
前記コンタクト・ガラスに前記タッチ・スクリーンの機能を持たせる書込モードとするか否かを選択する入力モード選択部を設けた
ことを特徴とする画像形成装置。
【請求項３】
請求項１又は２記載の画像形成装置であって、
前記書込データ入力部は、前記コンタクト・ガラスにタッチ・ペンを用いた電磁誘導により前記書き込みを表示させる
ことを特徴とする画像形成装置。
【請求項４】
請求項１〜３の何れかに記載の画像形成装置であって、
前記原稿データ入力部は、操作部の操作により前記書込データを記憶部に記憶させ且つ前記コンタクト・ガラスの表示を消去する
ことを特徴とする画像形成装置。
【請求項５】
請求項１〜４の何れかに記載の画像形成装置であって、
前記画像処理部は、前記書込データをミラー処理により又は前記表示通りに原稿データに合成する
ことを特徴とする画像形成装置。
【請求項６】
請求項１〜５の何れかに記載の画像形成装置であって、
前記画像処理部を制御して前記合成を選択的に行わせる制御部を設けた
ことを特徴とする画像形成装置。
【請求項７】
請求項６記載の画像形成装置であって、
前記原稿が複数ページ存在する場合にページ指定が可能なページ指定部を設け、
前記制御部は、前記複数ページの原稿の指定されたページに前記合成を行うよう前記画像処理部を制御する
ことを特徴とする画像形成装置。
【請求項８】
請求項６記載の画像形成装置であって、
前記原稿が複数ページ存在する場合にページを指定するページ指定モードとページを指定しないトレース・モードとを選択する指定モード選択部を設け、
前記制御部は、前記ページ指定モードが選択されたとき前記複数ページの原稿の指定されたページに前記合成を行うと共に前記トレース・モードが選択されたとき前記複数ページの全てに前記合成を行うよう前記画像処理部を制御する
ことを特徴とする画像形成装置。
【請求項９】
請求項７又は８記載の画像形成装置であって、
前記コンタクト・ガラスに原稿を自動で送る原稿送り装置を設けた
ことを特徴とする画像形成装置。
【請求項１０】
書き込みが可能なタッチ・スクリーンの機能を持つコンタクト・ガラスに書き込みを表示させ且つ表示内容を書込データとして入力し、
前記コンタクト・ガラス上の前記表示を消去した状態で原稿を読み込み原稿データとして入力し、
前記原稿データに前記書込データを合成して出力する
ことを特徴とする画像形成方法。
【発明の詳細な説明】
【技術分野】
【０００１】
本発明は、複写機，プリンタ等に供される画像形成装置及び方法に関する。
【背景技術】
【０００２】
従来、例えば複写機等の画像形成装置において、コンタクト・ガラスにセットした原稿を読み取り、読み取った原稿データをコンタクト・ガラスのカバーに組み込まれた液晶表示装置ＬＣＤ（Liquid Crystal Display）に表示し、このＬＣＤ上でタッチ・ペンにより編集を施し画像処理するものがある。
【０００３】
このような画像形成装置では、読み取った特定の原稿データに編集を施すものである。このため、多数の同種又は異種の原稿に対して画像処理する場合に、各原稿毎に読み取りを行い、カバーに各原稿データ毎に表示を行い、その都度タッチ・ペンで編集を施すことになる。従って、複数の同種又は異種の原稿データに編集を施す場合等に、編集作業が極めて煩雑になり、手軽さに欠けるという問題がある。
【０００４】
【特許文献１】特開平６−１２１１５２号公報
【発明の開示】
【発明が解決しようとする課題】
【０００５】
解決しようとする問題点は、複数の同種又は異種の原稿データに編集を施す場合に、編集作業が極めて煩雑になり、手軽さに欠けるという点である。
【課題を解決するための手段】
【０００６】
本発明は、複数の同種又は異種の原稿データに編集を施す場合等でも、原稿を汚さずに手軽な書き込みを可能とするため、書き込みが可能なタッチ・スクリーンの機能を持つコンタクト・ガラスへの書込入力により書き込みを表示させ且つ表示内容を書込データとして入力する書込データ入力部と、前記コンタクト・ガラス上の前記表示を消去した状態で原稿を読み込み原稿データとして入力する原稿データ入力部と、前記原稿データに前記書込データを合成する画像処理部と、前記画像処理部のデータを出力する出力部とを備えたことを最も主要な特徴とする。
【発明の効果】
【０００７】
本発明の画像形成装置は、書き込みが可能なタッチ・スクリーンの機能を持つコンタクト・ガラスへの書込入力により書き込みを表示させ且つ表示内容を書込データとして入力する書込データ入力部と、前記コンタクト・ガラス上の前記表示を消去した状態で原稿を読み込み原稿データとして入力する原稿データ入力部と、前記原稿データに前記書込データを合成する画像処理部と、前記画像処理部のデータを出力する出力部とを備えたため、原稿データ入力部で読み込み入力した原稿データに、書込データ入力部で書き込み入力した書込データを画像処理部で合成し、出力部から出力することができる。
【０００８】
従って、単一の原稿に対して書込データを合成して出力することができるのは勿論、複数の同種又は異種の原稿データに書込データを合成する場合でも、書込データ入力部での書込入力の操作に変更はない。
【発明を実施するための最良の形態】
【０００９】
複数の同種又は異種の原稿データに編集を施す場合でも、手軽な書込を可能とするという目的を、原稿データに対し書込データを合成することにより実現した。
【実施例１】
【００１０】
［画像形成装置］
図１は、本発明の実施例１を適用した画像形成装置のブロック図である。
【００１１】
図１のように、複写機等の画像形成装置１は、入力側の書込データ入力部３に、タッチ・スクリーン・コンタクト・ガラス５を備え、原稿データ入力部７に、スキャナ９を備えている。この画像形成装置１は、内部にコントローラ１１を備え、出力は出力部としての出力装置１３から行われる。コントローラ１１は、記憶部としてのメモリ１５，画像処理部１７，及び制御部としてのＣＰＵ１９等を備えている。
【００１２】
前記タッチ・スクリーン・コンタクト・ガラス５は、ＬＣＤを備え、書き込み表示が可能なタッチ・スクリーンの機能を持ったコンタクト・ガラスである。このタッチ・スクリーンの機能は、ボタン操作などの入力モード選択部により書込入力モードとしてペン入力モードが選択されると実行可能となり、ペン入力モードの選択が行われなければタッチ・スクリーン・コンタクト・ガラス５は、コンタクト・ガラスとしてのみ機能する。
【００１３】
前記タッチ・スクリーン・コンタクト・ガラス５への書込入力によりタッチ・スクリーン・コンタクト・ガラス５に書き込みを表示させ且つ表示内容を書込データとして入力する。前記書込入力は、タッチ・スクリーン・コンタクト・ガラス５に専用のタッチ・ペンにより電磁誘導により行う。従って、タッチ・ペンでの書込入力は、タッチ・ペンがタッチ・スクリーン・コンタクト・ガラス５に触れるというよりも、一定の距離内となったときに行われる。但し、書込入力は、圧力感知等により行わせることもできる。
【００１４】
前記原稿データ入力部７のスキャナ９は、前記タッチ・スクリーン・コンタクト・ガラス５に原稿をセットし操作部としての操作ボタンを押す操作により原稿をスキャンしてその内容を読み込み、原稿データとして入力する。この原稿データ入力部７は、前記操作ボタンの操作によりＣＰＵ１９の制御を介し前記書込データをメモリ１５に記憶させ且つ前記タッチ・スクリーン・コンタクト・ガラス５の表示を消滅させてからスキャナ９による原稿内容の読み込みを行う。
【００１５】
前記画像処理部１７は、前記ＣＰＵ１９の制御により、前記スキャナ９により読み込まれた原稿データに前記メモリ１５の書込データを読み出して合成する。
【００１６】
前記出力装置１３は、前記画像処理部１７のデータを出力する。この出力は、本実施例において、例えば、印刷物としての出力である。但し、出力には、ＦＡＸとしての出力、Ｅ−ｍａｉｌとしての出力、ＰＣ（Personal Computer）への出力もあり、これらの出力を組み合わせることもできる。
【００１７】
そして、ＣＰＵ１９の制御により、タッチ・スクリーン・コンタクト・ガラス５に書込入力した書込データをメモリ１５に記憶させる。画像処理部１７においては、タッチ・スクリーン・コンタクト・ガラス５上の原稿をスキャナ９により読み込んだ原稿データに、書込データを合成し、出力装置１３から印刷物として出力することができる。
【００１８】
［書込入力及び合成出力］
図２は、タッチ・スクリーン・コンタクト・ガラスでの入力を示す斜視図である。
【００１９】
図２のタッチ・スクリーン・コンタクト・ガラス５は、前記画像処理部１７（図１）の原稿台上面に備えられ、専用のタッチ・ペン２１により書込入力する。図２では、タッチ・ペン２１をタッチ・スクリーン・コンタクト・ガラス５上でＡからＢまで移動させることで線２３が表示されている。線２３は、図２のように、タッチ・スクリーン・コンタクト・ガラス５に表示された線２３は、書込データとして前記メモリ１５（図１）に記憶される。
【００２０】
図３は、原稿に対し書込データを合成して出力することを示し、（ａ）は、原稿の平面図、（ｂ）は、全体ミラー処理の出力を示す原稿台及び印刷物の平面図、（ｃ）は、そのまま処理の出力を示す原稿台及び印刷物の平面図である。
【００２１】
前記画像処理部１７は、前記書込データを、全体ミラー処理により又はタッチ・スクリーン・コンタクト・ガラス５での表示通りに原稿データに合成する。
【００２２】
図３（ａ）のように、原稿は、例えばＡ４サイズの用紙であり、白抜きの矢印のみが描かれているものとする。
【００２３】
図３（ｂ）の全体ミラー処理、図３（ｃ）のそのまま処理の何れも、原稿台のタッチ・スクリーン・コンタクト・ガラス５に「あいう」の文字を書き込み入力する。タッチ・スクリーン・コンタクト・ガラス５上には、原稿２５を裏返しにセットするので、白抜きの矢印を破線で示している。
【００２４】
図３（ｂ）のミラー処理では、印刷物２７に、「あいう」の文字が裏返し且つ左右反対の位置に合成出力される。このミラー処理は、全体がミラー処理されているが、左右の位置は書込位置と同じで「あいう」の文字のみ裏返しに合成させる部分ミラー処理にすることもできる。図３（ｃ）のそのまま処理では、印刷物２９に、「あいう」の文字がタッチ・スクリーン・コンタクト・ガラス５上の表示そのままの位置に合成出力される。
【００２５】
図４は、原稿が存在しない場合の出力を示す原稿台及び印刷物の平面図である。原稿台のタッチ・スクリーン・コンタクト・ガラス５に「あいう」の文字を書き込み、操作ボタンを操作すると、「あいう」の文字がタッチ・スクリーン・コンタクト・ガラス５上への書き込みそのままの位置となる印刷物３１が出力される。
【００２６】
図５は、タッチ・スクリーン・コンタクト・ガラスに原稿を自動で送る原稿送り装置を備え、そのまま処理を行わせる例を示す説明図である。
【００２７】
まず、原稿台のタッチ・スクリーン・コンタクト・ガラス５に「あいう」の文字を書き込み入力する。この書込は、原稿送り装置３３をタッチ・スクリーン・コンタクト・ガラス５上から一時上げて行われる。次に原稿送り装置３３に、「ＡＢＣ」の文字が描かれた原稿３５をセットし、操作ボタンの操作で原稿３５をタッチ・スクリーン・コンタクト・ガラス５上に自動で給紙し、スキャナ９（図１）による原稿の読み込みを行わせる。
【００２８】
印刷物３７には、「あいう」の文字がタッチ・スクリーン・コンタクト・ガラス５上への書き込みそのままの位置に合成出力される。
【００２９】
［モード切替処理］
上記の合成の原理に基づき、画像処理部１７をＣＰＵ１９により制御して合成を選択的に行わせることもできる。
【００３０】
前記原稿が複数ページ存在する場合にページ指定が可能なページ指定部を設け、ＣＰＵ１９は、前記複数ページの原稿の指定されたページに前記合成を行うよう前記画像処理部１７を制御する構成にすることができる。
【００３１】
また、前記原稿が複数ページ存在する場合にページを指定するページ指定モードとページを指定しないトレース・モードとを選択する指定モード選択部を設け、ＣＰＵ１９は、前記ページ指定モードが選択されたとき前記複数ページの原稿の指定されたページに前記合成を行うと共に前記トレース・モードが選択されたとき前記複数ページの全てに前記合成を行うよう前記画像処理部１７を制御する構成にすることができる。
【００３２】
図６は、ページ指定モード及びトレース・モードの切替を行い合成出力するフロー・チャートである。
【００３３】
図６のフロー・チャートは、ボタン操作などによりペン入力モードの選択が行われると実行される。従って、ボタン等の入力部は、入力モード選択部を構成している。
【００３４】
ステップ１では、「ペン入力モードを選択する」の処理が行われる。この処理では、ボタン操作が読み込まれ、画像形成装置１がペン入力モードに切り替えられ、ステップＳ２へ移行する。
【００３５】
ステップＳ２では、「ペン入力モードに切り替わることでコンタクト・ガラスがタッチ・パネル・モードへ移行する」の処理が実行され、タッチ・スクリーン・コンタクト・ガラス５のＬＣＤ機能が立ち上がり、タッチ・ペンでの書込入力が可能となり、ステップＳ３，Ｓ４，Ｓ５へ順次移行する。
【００３６】
ステップＳ３，Ｓ４，Ｓ５では、「専用ペンでタッチ・スクリーン・コンタクト・ガラスに触れる」、「専用ペンでタッチ・スクリーン・コンタクト・ガラスに触れることで色がつく」、「文字・図形を専用ペンにて、描画する」の処理が実行される。これらの処理により、専用のタッチ・ペンによりタッチ・スクリーン・コンタクト・ガラス５に前記「あいう」のような書込が入力されると、タッチ・スクリーン・コンタクト・ガラス５に「あいう」の文字が表示され、その表示内容が書込データとして読み込まれ、前記メモリ１５に記憶され、ステップＳ６へ移行する。
【００３７】
ステップＳ６では、「コピーの場合は印刷部数を選択する」の処理が実行され、テンキー等により、印刷部数が入力されて入力データが記憶され、ステップＳ７へ移行する。
【００３８】
ステップＳ７では、「ページ指定・トレースのモードを選択する」の処理が実行され、例えばボタン操作によりペン入力モードとトレース・モードとの何れかが選択されると、その結果が記憶され、ステップＳ８へ移行する。従って、ボタン等の入力部及び本ステップＳ７は、本実施例において指定モード選択部を構成している。
【００３９】
ステップＳ８では、「ページ指定モードか？」の判断処理が実行される。この処理では、ペン入力モードが選択されていれば（ＹＥＳ）、ステップＳ９へ移行し、トレース・モードが選択されていれば（ＮＯ）、ステップＳ１０へ移行する。ステップＳ９側では、以降、読み込んだ複数ページの原稿データに指定したページに書込データを合成して印刷出力する。ステップＳ１０側では、以降、読み込んだ複数ページの原稿データ全てに書込データを合成して印刷出力する。
【００４０】
（ページ指定モード）
ステップＳ９では、「合成が必要なページを入力する」の処理が実行される。この処理では、例えば原稿送り装置３３により複数枚の同種又は異種の原稿がタッチ・スクリーン・コンタクト・ガラス５上に送り込まれ、或いは複数枚の同種又は異種の原稿が手操作によりタッチ・スクリーン・コンタクト・ガラス５上に順次セットされ、原稿データの読み込みが行われる場合に、書込データを合成するページをテンキーなどで入力すると、その結果が読み込まれ、ステップＳ１１へ移行する。従って、テンキー等の入力部及び本ステップＳ９は、本実施例においてページ指定部を構成している。
【００４１】
ステップＳ１１では、「操作ボタンを押す」の処理が実行される。この処理では、操作ボタンの操作信号が読み込まれ、ステップＳ１２へ移行する。操作ボタンの操作は、コピー出力、ＦＡＸ出力、Ｅ−ｍａｉｌ出力、ＰＣへの出力などＭＦＰにて画像を取り込む動作全てを含むが、ここでは、コピー出力を対象としている。
【００４２】
ステップＳ１２では、「タッチ・スクリーン上のデータはメモリ上に保存される」の処理が実行される。この処理では、操作ボタンの操作により、タッチ・スクリーン・コンタクト・ガラス５上で原稿が読み込まれようとしているので、タッチ・スクリーン・コンタクト・ガラス５上にタッチ・ペンで書き込み入力された書込データがＣＰＵ１９の制御によりメモリ１５に記憶され、ステップＳ１３へ移行する。
【００４３】
ステップＳ１３では、「タッチ・スクリーン上はクリアな状態となる」の処理が実行される。この処理では、タッチ・ペンで書き込まれ、タッチ・スクリーン・コンタクト・ガラス５上に表示された内容がＣＰＵ１９の制御により消去され、原稿の読み込みの準備がなされ、ステップＳ１４へ移行する。
【００４４】
ステップＳ１４では、「自動原稿送り装置に原稿があるか？」の判断処理が実行される。この処理では、原稿送り装置３３に原稿があるか否かの判断が行われ、原稿があれば（ＹＥＳ）ステップＳ１５へ移行し、無ければ（ＮＯ）ステップＳ１６へ移行する。
【００４５】
ステップＳ１５では、「原稿送り装置から給紙し、指定されたページに合成を行う」の処理が実行される。この処理では、原稿送り装置３３から原稿を自動でタッチ・スクリーン・コンタクト・ガラス５上に給紙し、スキャナ９による原稿の読み込みを行わせる。読み込まれた原稿データは画像処理部１７に順次読み込まれ、メモリ１５から画像処理部１７に読み込まれた書込データが原稿データの指定されたページに順次合成され、ステップＳ１７へ移行する。
【００４６】
ステップＳ１６では、手操作によりタッチ・スクリーン・コンタクト・ガラス５上に原稿を順次給紙して原稿を読み込ませる。読み込まれた原稿データには、ステップＳ１５と同様にして、指定されたページに書込データが順次合成され、ステップＳ１７へ移行する。
【００４７】
ステップＳ１７では、「印刷ページ数より、指定ページが大きい場合は印刷ページ数までを指定ページとして扱う」の処理が実行される。この処理は、指定ページの入力ミス等により、印刷ページ数より、指定ページが大きい場合には、指定ページがあっても、書込データを合成すべき原稿データが存在しない状態となっているので、印刷ページ数を限度として合成処理を終了し、ステップＳ１８へ移行する。
【００４８】
ステップＳ１８では、「指定されたページに、タッチ・スクリーン・コンタクト・ガラス上に描いた文字・図形が合成された印刷物が出力される」の処理が実行される。この処理では、ページ指定された原稿データに書込データが合成された状態で印刷物の出力が行われ、処理は終了する。
【００４９】
（トレース・モード）
前記ステップＳ１０では、「トレース・モードへ移行」の処理が実行される。この処理では、トレース・モードの読み込みが行われ、ステップＳ１９へ移行する。
【００５０】
ステップＳ１９では、ステップＳ１１同様の「操作ボタンを押す」の処理が実行され、ステップＳ２０へ移行する。操作ボタンの操作の意味は、ステップＳ１１と同様である。
【００５１】
ステップＳ２０では、ステップＳ１２同様の「タッチ・スクリーン上のデータはメモリ上に保存される」の処理が実行され、ステップＳ２１へ移行する。
【００５２】
ステップＳ２１では、ステップＳ１３同様の「タッチ・スクリーン上はクリアな状態となる」の処理が実行され、ステップＳ２２へ移行する。
【００５３】
ステップＳ２２では、ステップＳ１４同様の「自動原稿送り装置に原稿があるか？」の判断処理が実行され、原稿があれば（ＹＥＳ）ステップＳ２３へ移行し、無ければ（ＮＯ）ステップＳ２４へ移行する。
【００５４】
ステップＳ２３では、「原稿送り装置から給紙し、全てのページに合成を行う」の処理が実行される。この処理では、ステップＳ１５と異なり、読み込まれた全ての原稿データに書込データが順次合成され、ステップＳ２５へ移行する。
【００５５】
ステップＳ２４では、手操作によりタッチ・スクリーン・コンタクト・ガラス５上に原稿を順次給紙して原稿を読み込ませる。読み込まれた原稿データには、ステップＳ２３と同様にして、全ページに書込データが順次合成され、ステップＳ２５へ移行する。
【００５６】
ステップＳ２５では、「全てのページに、タッチ・スクリーン・コンタクト・ガラス上に描いた文字・図形が合成された印刷物が出力される」の処理が実行される。この処理では、全ての原稿データに書込データが合成された状態で印刷物の出力が行われ、処理は終了する。
【００５７】
従って、図７のような作業により、図８又は図９のような出力を行わせることができる。
【００５８】
図７は、タッチ・スクリーン・コンタクト・ガラスに原稿を自動で送る原稿送り装置を備え、複数ページの原稿を自動で給紙し、そのまま処理を行わせる例を示す説明図、図８、ページ指定モード合成出力の印刷物を示す平面図、図９は、トレース・モード合成出力の印刷物を示す平面図である。
（ページ指定モード合成出力）
まず、図７のように、原稿台のタッチ・スクリーン・コンタクト・ガラス５に、例えば「あいう」の文字を前記同様に書き込み入力する。読み込む原稿枚数は、例えば３枚として、ページ指定を例えば１，３ページとする。
【００５９】
次に原稿送り装置３３に、「ＡＢＣ」「ＤＥＦ」「ＧＨＩ」の文字が描かれた３枚の原稿３９，４１，４３をセットし、操作ボタンの操作で原稿３９，４１，４３をタッチ・スクリーン・コンタクト・ガラス５上に自動で給紙し、スキャナ９による原稿の読み込みを順次行わせる。
【００６０】
図８のように、ページ指定のあった１，３ページの印刷物４５，４７には、「あいう」の文字がタッチ・スクリーン・コンタクト・ガラス５上への書き込みそのままの位置に合成出力される。ページ指定の無かった２ページ目の印刷物４９には、「あいう」の文字はない。
（トレース・モード合成出力）
ページ指定のないトレース・モード合成出力の場合は、図９のように、全ページの印刷物５１，５３，５５に「あいう」の文字がそのままの位置に合成出力される。
【００６１】
［実施例の効果］
本発明実施例の画像形成装置１は、書き込みが可能なタッチ・スクリーンの機能を持つタッチ・スクリーン・コンタクト・ガラス５への書込入力により書き込みを表示させ且つ表示内容を書込データとして入力する書込データ入力部３と、前記タッチ・スクリーン・コンタクト・ガラス５上の前記表示を消去した状態で原稿を読み込み原稿データとして入力する原稿データ入力部７のスキャナ９と、前記原稿データに前記書込データを合成する画像処理部１７と、前記画像処理部１７のデータを出力する出力装置１３とを備えたため、原稿データ入力部７のスキャナ９で読み込み入力した原稿データに、書込データ入力部３のタッチ・スクリーン・コンタクト・ガラス５で書き込み入力した書込データを画像処理部１７で合成し、出力装置１３から出力することができる。
【００６２】
従って、単一の原稿に対して書込データを合成して出力することができるのは勿論、複数の同種又は異種の原稿データに書込データを合成する場合でも、書込データ入力部３のタッチ・スクリーン・コンタクト・ガラス５での書込入力の操作に変更はない。
【００６３】
このため、簡単な連絡メモ程度の書き込みを追加する場合でも、原稿を汚さずに手軽に書き込みを行うことができる。
【００６４】
前記タッチ・スクリーン・コンタクト・ガラス５に、前記タッチ・スクリーンの機能を持たせる書込モードとするか否かを選択する入力モード選択部を設けたため、書込入力モードの選択が行われなければ、コンタクト・ガラスとしてのみ機能させることができ、タッチ・スクリーン・コンタクト・ガラス５上で不用意な書き込みが表示、入力されるのを抑制することができる。
【００６５】
前記書込データ入力部３は、前記タッチ・スクリーン・コンタクト・ガラス５にタッチ・ペン２１により電磁誘導により前記書き込みを表示させるため、タッチ・スクリーン・コンタクト・ガラス５上に不用意な荷重が働いても書き込みが表示、入力されるのを抑制することができる。
【００６６】
前記原稿データ入力部７のスキャナ９は、前記操作ボタンの操作により前記書込データをメモリ１５に記憶させ且つ前記タッチ・スクリーン・コンタクト・ガラス５の表示を消滅させてから原稿内容の読み込みを行うため、原稿データ入力部７のスキャナ９により入力される原稿データに書き込み内容がそのまま取り込まれることがないのは勿論、次の印刷出力等の際にも書き込み内容が不用意に取り込まれることを抑制することができる。
【００６７】
前記画像処理部１７は、前記書込データをミラー処理により又は前記表示通りに原稿データに合成するため、原稿データに対し書込データの向きをタッチ・スクリーン・コンタクト・ガラス５での表示の向きとは逆向きに又は表示そのままに合成することができる。
【００６８】
前記画像処理部１７を制御して前記合成を選択的に行わせるＣＰＵ１９を設けたため、複数の原稿データに対し、その一部につき合成を行わないようにすることができる。
【００６９】
前記原稿が複数ページ存在する場合にページ指定が可能なページ指定部Ｓ９を設け、前記ＣＰＵ１９は、前記複数ページの原稿の指定されたページに前記合成を行うよう前記画像処理部１７を制御するため、複数の原稿データの指定されたページにのみ合成を行わせることができる。
【００７０】
前記原稿が複数ページ存在する場合にページを指定するページ指定モードとページを指定しないトレース・モードとを選択する指定モード選択部Ｓ７を設け、前記ＣＰＵ１９は、前記ページ指定モードが選択されたとき前記複数ページの原稿の指定されたページに前記合成を行うと共に前記トレース・モードが選択されたとき前記複数ページの全てに前記合成を行うよう前記画像処理部１７を制御するため、ページ指定モードが選択されたときは、複数の原稿データの指定されたページにのみ合成を行わせることができ、トレース・モードが選択されたときは、複数の原稿データの全てのページに合成を行わせることができる。
【００７１】
前記タッチ・スクリーン・コンタクト・ガラス５に原稿を自動で送る原稿送り装置３３を設けたため、複数の原稿データに対する合成を容易に行わせることができる。
［その他］
なお、タッチ・スクリーン・コンタクト・ガラス５に表示された書き込みは、印刷を行わせる操作ボタンの操作により自動で消去するようにしたが、この操作ボタンとは別の操作で消去させる構成にすることもできる。
【図面の簡単な説明】
【００７２】
【図１】画像形成装置のブロック図である（実施例１）。
【図２】タッチ・スクリーン・コンタクト・ガラスでの入力を示す斜視図である（実施例１）。
【図３】原稿に対し書込データを合成して出力することを示し、（ａ）は、原稿の平面図、（ｂ）は、ミラー処理の出力を示す原稿台及び印刷物の平面図、（ｃ）は、そのまま処理の出力を示す原稿台及び印刷物の平面図である（実施例１）。
【図４】原稿が存在しない場合の出力を示す原稿台及び印刷物の平面図である（実施例１）。
【図５】タッチ・スクリーン・コンタクト・ガラスに原稿を自動で送る原稿送り装置を備え、そのまま処理を行わせる例を示す説明図である（実施例１）。
【図６】ページ指定モード及びトレース・モードの切替を行い合成出力するフロー・チャートである（実施例１）。
【図７】タッチ・スクリーン・コンタクト・ガラスに原稿を自動で送る原稿送り装置を備え、複数ページの原稿を自動で給紙し、そのまま処理を行わせる例を示す説明図である（実施例１）。
【図８】ページ指定モード合成出力の印刷物を示す平面図である（実施例１）。
【図９】トレース・モード合成出力の印刷物を示す平面図である（実施例１）。
【符号の説明】
【００７３】
１  画像形成装置
３  書込データ入力部
５  タッチ・スクリーン・コンタクト・ガラス（コンタクト・ガラス）
７  原稿データ入力部
１３  出力装置（出力部）
１５  メモリ（記憶部）
１７  画像処理部
１９  ＣＰＵ（制御部）
２１  タッチ・ペン
２５，３５，３９，４１，４３  原稿
３３  原稿送り装置
【図１】
2007081909.tif 000003
【図２】
2007081909.tif 000004
【図３】
2007081909.tif 000005
【図４】
2007081909.tif 000006
【図５】
2007081909.tif 000007
【図６】
2007081909.tif 000008
【図７】
2007081909.tif 000009
【図８】
2007081909.tif 000010
【図９】
2007081909.tif 000011